(57)【要約】      （修正有）【課題】本発明は、スケジュール機能を搭載したプロジェクタにおいて、予定された時刻の電源ＯＮ操作を時刻通りに行う投影装置を提供することを目的とする。【解決手段】光源としてのランプと、ランプからの光を変調する光変調素子と、時刻設定手段と、指定された時刻に電源のＯＮ、ＯＦＦを含む所定の動作を行う予約情報を登録する予約情報登録手段と、１つ以上の温度取得手段と、温度取得手段から得られた値を元にランプの冷却に要する時間を算出するランプ冷却時間算出手段とを具備した投影装置において、投影状態で電源ＯＦＦの指示を受け付けた場合Ｓ３０１に、以降の時刻の予約情報を確認Ｓ３０２し、次回の電源ＯＮ操作の予約時刻までの時間を算出Ｓ３０３し、次回の電源ＯＮ操作の予約時刻までの時間が、ランプ冷却時間よりも短いと判断された場合Ｓ３０７に電源ＯＦＦの操作を抑制することを特徴とする投影装置。【選択図】図３
2019191436.tif 000002
【特許請求の範囲】
【請求項１】
光源としてのランプと、
ランプからの光を変調する光変調素子と、
時刻設定手段と、
指定された時刻に電源のＯＮ、ＯＦＦを含む所定の動作を行う予約情報を登録する予約情報登録手段と、
１つ以上の温度取得手段と、
温度取得手段から得られた値を元にランプの冷却に要する時間を算出するランプ冷却時間算出手段と
を具備した投影装置において、
投影状態で電源ＯＦＦの指示を受け付けた場合に、
以降の時刻の予約情報を確認し、次回の電源ＯＮ操作の予約時刻までの時間を算出し、
次回の電源ＯＮ操作の予約時刻までの時間が、ランプ冷却時間よりも短いと判断された場合に電源ＯＦＦの操作を抑制することを特徴とする投影装置。
【請求項２】
請求項１に記載の投影装置であって、
電源ＯＦＦの操作を抑制した場合に、ランプの出力を低下させるとともに、
光変調素子を制御し非表示状態にすることを特徴とする投影装置。
【請求項３】
請求項２に記載の投影装置であって、
電源ＯＦＦの操作を抑制した後、次回の電源ＯＮ操作の予約時刻になった際に、
ランプの出力を増加させるとともに、
光変調素子を制御し表示状態にすることを特徴とする投影装置。
【請求項４】
請求項１に記載の投影装置であって、
前記ランプ冷却時間の算出は、
ランプ付近の温度もしくはプロジェクタの吸気温度の何れか、もしくはその両方から算出することを特徴とする投影装置。
【請求項５】
請求項１に記載の投影装置であって、
さらに温度取得手段から取得した温度情報を記録する温度情報記録手段を備え、
温度情報記録手段から取得した過去の温度情報を元にランプ冷却時間の時間を予測する事を特徴とする投影装置。
【発明の詳細な説明】
【技術分野】
【０００１】
本発明はプロジェクタ、およびプロジェクタの制御方法に関する。
【背景技術】
【０００２】
近年、会議スペースや教室などでプロジェクタを用いて資料を投影することが一般的になっている。プロジェクタには、内部に時計を備え、予定された時刻に所定の動作、例えば電源ＯＮ／ＯＦＦなどの操作を自動的に行う機能（以降、スケジュール機能と呼ぶ）を備えたものがある。一方、プロジェクタのランプは、所定の温度まで冷却しないと、次回のＯＮ操作時に正しくランプ点灯できないという課題がある。このような事態を防止するため、プロジェクタでは、一旦電源ＯＦＦ操作を行うと、所定の時間以上ファンを回してランプを冷却しないと次回の電源ＯＮ操作を行えないものが多い。
【０００３】
スケジュール機能による電源ＯＮ操作の直前にユーザによる電源ＯＦＦの操作が実行されると、前述したランプの冷却が間に合わず、予定されていた電源ＯＮ操作を実行できないという課題がある。
【０００４】
特許文献１には、ユーザがＯＦＦ操作を実行した時刻と、次回の予定されたＯＮ操作との間隔が所定の時間内であった場合、電源ＯＮを保留するメッセージを表示するという技術が開示されている。
【０００５】
特許文献２には、ユーザがＯＦＦ操作を実行した時刻と、次回の予定されたＯＮ操作との間隔が所定の時間内であった場合、ランプＯＦＦを実行せず、ランプの輝度を低下させるという技術が開示されている。
【先行技術文献】
【特許文献】
【０００６】
【特許文献１】特開２０１５−５０６７６号公報
【特許文献２】特開２００７−１７８６３６号公報
【発明の概要】
【発明が解決しようとする課題】
【０００７】
しかしながら、特許文献１に記載の技術では、電源ＯＦＦを保留するメッセージは表示されるが、ユーザによる電源ＯＦＦ操作を実行出来てしまう。そのため、予定された時刻に電源ＯＮできないという課題があった。また、特許文献２に記載の技術では、電源ＯＦＦ操作とＯＮ操作が所定時間内であるかを判断しているが、前述したようにプロジェクタのランプは所定の温度まで冷却が必要であり、外気温によって冷却時間は異なる。そのため、プロジェクタの設置環境によっては、ランプの冷却が所定時間内に完了せず、予定された時刻に電源ＯＮできないという課題があった。
【０００８】
本発明は上記の問題点に鑑み、スケジュール機能を搭載したプロジェクタにおいて、予定された時刻の電源ＯＮ操作を時刻通りに行う投影装置を提供することを目的とする。
【課題を解決するための手段】
【０００９】
本発明の投影装置は、かかる目的を達成するために、
光源としてのランプと、
ランプからの光を変調する光変調素子と、
時刻設定手段と、
指定された時刻に電源のＯＮ、ＯＦＦを含む所定の動作を行う予約情報を登録する予約情報登録手段と、
１つ以上の温度取得手段と、
温度取得手段から得られた値を元にランプの冷却に要する時間を算出するランプ冷却時間算出手段と
を具備した投影装置において、
投影状態で電源ＯＦＦの指示を受け付けた場合に、
以降の時刻の予約情報を確認し、次回の電源ＯＮ操作の予約時刻までの時間を算出し、
次回の電源ＯＮ操作の予約時刻までの時間が、ランプ冷却時間よりも短いと判断された場合に電源ＯＦＦの操作を抑制することを特徴とする
構成とした。
【発明の効果】
【００１０】
以上のように、本発明によれば、スケジュール機能を搭載したプロジェクタにおいて、予定された時刻の電源ＯＮ操作を時刻通りに行うことができる。
【図面の簡単な説明】
【００１１】
【図１】実施例１のプロジェクタの構成を示す図である。
【図２】実施例１のスケジュールの内容の一例を示す図である。
【図３】実施例１の投影処理のフローチャートである。
【図４】実施例１のランプ温度と吸気温度から冷却時間を求めるためのテーブルを示した図である。
【発明を実施するための形態】
【００１２】
以下、図面を参照して本発明の実施例を詳細に説明するが、この発明は以下の実施の形態に限定されない。また、この発明の実施の形態は発明の好ましい形態を示すものであり、発明の範囲を限定するものではない。
【００１３】
［実施例１］
図１は本実施例のプロジェクタの主要な構成を表す図である。
【００１４】
本実施例のプロジェクタ１００は、ＣＰＵ１０１、ＲＡＭ１０２、ＲＯＭ１０３、投影部１０４、投影制御部１０５、ＶＲＡＭ１０６、操作部１０７、ネットワークＩＦ１０８、計時部１０９、吸気温度取得部１１０を有する。また、１１１は上記の各ブロックを接続する内部バスである。ＣＰＵ１０１は、プロジェクタ１００の各動作ブロックの制御を行う。
【００１５】
ＲＡＭ１０２は、ワークメモリとして一時的に制御プログラムやデータを格納するものである。ＲＯＭ１０３は、ＣＰＵ１０１の処理手順を記述した制御プログラムを記憶するためのものである。また、後述するスケジュール機能において、ユーザが指定したスケジュールの情報（時刻、予約実行された操作など）もＲＯＭ１０３に格納される。
【００１６】
投影部１０４は、後述する投影制御部１０５によって指示された画像を投影するためのものであり、不図示の液晶パネル、レンズ、ランプ、温度取得部から構成される。温度取得部は、ランプ付近に設置される。ＣＰＵ１０１はシステムバス１１１を介して温度取得部にアクセスし、ランプの温度を取得することができる。投影制御部１０５は、ＶＲＡＭ１０６に格納された画像データを読み出し、投影部１０４に投影の指示を出すためのものである。ＶＲＡＭ１０６は投影部１０４で投影する画像を格納するための領域である。
【００１７】
操作部１０７は、ユーザからの指示を受け付け、ＣＰＵ１０１に対して指示信号を送信するものである。例えば、スイッチやダイヤルから成る。また、操作部１０７は不図示のリモコンからの信号を受信し、受信した信号に対応した指示信号をＣＰＵ１０１に対して送るものであっても良い。ネットワークＩＦ１０８は外部機器とネットワーク通信を行うためのものである。
【００１８】
計時部１０９は不図示のバッテリとリアルタイムクロックから構成され、時刻を計時する。計時部１０９は、バッテリを搭載されているため、プロジェクタ１００に電力が供給されていない状況でも計時を行うことが可能である。ＣＰＵ１０１は、システムバス１１１を介して計時部１０９から日付、日時、曜日といった現在時刻を取得可能である。
【００１９】
吸気温度取得部１１０はプロジェクタ１００の吸気部分に取り付けられており、冷却用ファンが外部から吸気している空気の温度を測定している。ＣＰＵ１０１はシステムバス１１１を介して吸気温度取得部１１０にアクセスし、プロジェクタが設置されている外気の温度を取得することができる。
【００２０】
次にスケジュール機能に関して説明する。図２はスケジュール機能によってＲＯＭ１０３に記録される操作内容の一例を示した図である。図２に示すように、登録されるスケジュールには、曜日、時刻、電源ＯＮ／ＯＦＦや入力切替などの操作情報が含まれている。例えば、月曜日では９時に電源ＯＮ操作が行われ、１３時にＤＶＩ入力に切替が行われ、１４時にアナログ入力に切替が行われ、１７時に電源ＯＦＦ操作が行われるというスケジュールが登録されている。ＣＰＵ１０１はＲＯＭ１０３に登録されているこれらのスケジュールと、計時部１０９から取得される時間を用いて、予定されているスケジュールの操作を実行する。
【００２１】
具体的には、１分間隔でＣＰＵ１０１が計時部１０９から現在時刻を取得し、ＲＯＭ１０３に記録されているスケジュールを確認し、スケジュールの時刻と現在時刻が一致していたらスケジュールに登録されている操作を実行する。
【００２２】
なお、図２では週間のスケジュールを例に挙げて説明を行っているが、日付指定のスケジュールも登録可能である。また、これらのスケジュールは、投影面に表示されるＧＵＩや、プロジェクタ１００に搭載されたＷＥＢサーバが提供するＷＥＢページから登録可能なように構成されている。
【００２３】
次に、図３を用いて電源ＯＦＦ時の動作に関して説明する。投影処理が開始されると、ＣＰＵ１０１は操作部１０７を監視し、ユーザの電源ＯＦＦの操作がなされたか監視する（Ｓ３０１）。また、Ｓ３０１において、ＣＰＵ１０１はＲＯＭ１０３に格納されているスケジュールを確認し、電源ＯＦＦ操作を行う必要があるか否かも同時に判断する。ＣＰＵ１０１は電源ＯＦＦの操作、もしくはスケジュールによる電源ＯＦＦ操作がなされるまで、Ｓ３０１を繰り返す。
【００２４】
Ｓ３０１において、電源ＯＦＦが行われると、ＣＰＵ１０１は計時手段１０９から現在時刻を取得し、ＲＯＭ１０３から登録されているスケジュールを取得し、現在時刻以降に電源ＯＮのスケジュールが登録されているか確認する（Ｓ３０２）。Ｓ３０２において、現在時刻以降に電源ＯＮのスケジュールが登録されていない場合、ＣＰＵ１０１は投影制御部１０５を介して投影部１０４のランプをＯＦＦする動作などを行い、投影処理を終了する。
【００２５】
Ｓ３０２において電源ＯＮのスケジュールが登録されている場合、ＣＰＵ１０１はＲＯＭに登録されている電源ＯＮのスケジュールの時刻と、現在時刻から次回の電源ＯＮまでの時間を算出する（Ｓ３０３）。
【００２６】
次にＣＰＵ１０１は、投影部１０４からランプ温度を取得し（Ｓ３０４）、吸気温度取得部１１０から吸気温度を取得する（Ｓ３０５）。Ｓ３０４とＳ３０５で得られた温度から、ＣＰＵ１０１は冷却時間を算出する（Ｓ３０６）。冷却時間の算出は、予めランプ温度と吸気温度と冷却時間の関係を図４に示すようなテーブルにしておき、テーブルを参照する事によって冷却時間を算出する。例えば、図４において、ランプ温度がＸ２、吸気温度がＹ１の場合、冷却時間はＺ２１と算出される。このように、ランプ温度と吸気温度から冷却時間を算出することによって、ランプの冷却時間を精度よく算出する事が可能となる。
【００２７】
なお、図４のテーブルにおいて、取得したランプ温度と吸気温度に該当する値が無い場合は、線形補間などの計算を行い、冷却時間を算出する。本実施例ではランプ温度と吸気温度の２つの温度情報から冷却時間を求めると説明したが、何れか一方の値から算出するようにしても良い。また、ランプ温度、吸気温度を例に挙げて説明したが、温度取得手段をランプ付近や、吸気口付近に設置出来ない場合は、その他の場所に温度取得手段を設け、その温度を用いて冷却時間を算出するようにしても良い。
【００２８】
次にＣＰＵ１０１は、Ｓ３０３で取得された次回の電源ＯＮまでの時間が、Ｓ３０６で算出された冷却時間に比べて大きいか判断する（Ｓ３０７）。次回の電源ＯＮまでの時間の方が大きければ、すなわち十分な冷却時間があるならば、ＣＰＵ１０１は投影制御部１０５を介して投影部１０４のランプをＯＦＦする動作などを行い、投影処理を終了する。
【００２９】
Ｓ３０７において、冷却時間の方が大きいと判断された場合、すなわち次回の電源ＯＮまでに十分な冷却時間がない場合、ＣＰＵ１０１は投影制御部１０５を介して投影部１０４のランプの輝度を下げ、液晶パネルを非表示状態に変更する（Ｓ３０８）。このようにすることによって、投影光を極力少ない状態にする事ができる。すなわち、電源ＯＦＦの状態と近い状態にすることができる。なお、プロジェクタ１００にランプの光量を落とす別の手段、例えば、アイリスや輝度変調パネルなどがある場合は、それらを操作して輝度をさらに落とすようにしても良い。
【００３０】
次にＣＰＵ１０１はＲＯＭ１０３に格納されている次回の電源ＯＮ予定時刻と、計時部１０９から取得した時間の比較を行い、電源ＯＮをする必要があるか判断する（Ｓ３０９）。この時、ＣＰＵ１０１は、操作部１０７を監視し、ユーザの電源ＯＮの操作がなされたかも同時に監視する。
【００３１】
Ｓ３０９において、電源ＯＮの操作、もしくは電源ＯＮのスケジュール時刻になったと判断されると、ＣＰＵ１０１は投影制御部１０５を介して投影部１０４のランプの輝度を上げ、液晶パネルの非表示状態を解除し、映像信号を表示している状態にする（Ｓ３１０）。
【００３２】
なお、本実施例では冷却時間の算出を温度取得部から取得した温度を元に計算すると説明したが、ランプを冷却する際にＲＯＭ１０３にランプ温度、吸気温度、冷却時間を記録しておき、次回の電源ＯＦＦ処理時には、それらの値を参照して動作するようにしても良い。具体的には、ＲＯＭ１０３に記録が無い場合はＳ３０６の処理を行い、記録がある場合は記録されているランプ温度と吸気温度がＳ３０４、Ｓ３０５で取得された値と比較して温度差が十分に小さい範囲であれば記録されている冷却時間を用いるようにする。それ以外の場合は、Ｓ３０６の処理を用いて冷却時間を算出するようにする。
【００３３】
このように構成する事によって、図４のテーブルから冷却時間を算出するよりも、より正確な値を用いてＳ３０７の判定を行うことができる。
【００３４】
なお、本実施例ではＳ３０６で図４のテーブルから冷却時間を算出すると説明したが、Ｓ３０４、Ｓ３０５で取得した吸気温度が所定の範囲外の場合のみ、Ｓ３０６の処理を行うように構成しても良い。吸気温度が所定の範囲内である場合は、図４のテーブルを用いず、予め決められた冷却時間を用いてＳ３０７の判定を行うようにしても良い。
【００３５】
以上の説明したように、本実施例によれば、精度の高い冷却時間を用いて電源ＯＦＦ操作を抑制できるため、スケジュール機能を搭載したプロジェクタにおいて、予定された時刻の電源ＯＮ操作を時刻通りに行うことが可能となる。
［その他の実施例］  本発明の目的は、前述した実施形態の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【００３６】
この場合、記憶媒体から読み出されたプログラムコード自体が前述した実施形態の機能を実現することになり、プログラムコード自体及びそのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３７】
また、上述のプログラムコードの指示に基づき、装置上で稼動しているＯＳ（基本システムやオペレーティングシステム）などが処理の一部又は全部を行い、その処理によって前述した実施形態の機能が実現される場合も含まれることは言うまでもない。
【００３８】
さらに、記憶媒体から読み出されたプログラムコードが、装置に挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【００３９】
１００  プロジェクタ
１０１  ＣＰＵ
１０２  ＲＡＭ
１０３  ＲＯＭ
１０４  投影部
１０５  投影制御部
１０６  ＶＲＡＭ
１０７  操作部
１０８  ネットワークＩＦ
１０９  計時部
１１０  吸気温度取得部
１１１  システムバス
【図１】
2019191436.tif 000003
【図２】
2019191436.tif 000004
【図３】
2019191436.tif 000005
【図４】
2019191436.tif 000006